(57)【特許請求の範囲】
【請求項１】
建造物上部に、隣接して適宜の間隔を有して平行状に設置された横梁と、水平状部と密閉状の空隙を有する立骨状部とが交互に連続して形成される金属板製の天井折板体と、山部と谷部とが連続して金属板製の折板屋根体とからなり、前記立骨状部の長手方向が前記横梁の長手方向と交叉しつつ、前記天井折板体が前記横梁上に載置固定されると共に、前記天井折板体と前記折板屋根体との間に折板支持具が介在されつつ、該折板支持具が前記横梁上に載置固定され、前記折板支持具上に前記折板屋根体が載置固定されてなることを特徴とする折板屋根システム。 
【請求項２】
請求項１において、前記天井折板体は、同一断面の単位天井折板の幅方向の両側端部相互が上下又は左右側とで重ね合わせてなり、該重ね合わせ箇所が前記立骨状部として構成されてなることを特徴とする折板屋根システム。 
【請求項３】
請求項１又は２において、前記立骨状部は、前記天井折板体を構成する単位天井折板の水平状部の幅方向一側の被重合部と、前記水平状部の幅方向他側の重合部とで密閉状の空隙を有しつつ、断面方形状をなしていることを特徴とする折板屋根システム。 
【請求項４】
請求項１，２又は３のいずれか１項において、前記立骨状部は、前記天井折板体を構成する単位天井折板の水平状部の幅方向一側の被重合部と、前記水平状部の幅方向他側の重合部とで密閉状の空隙を有しつつ、断面三角形状をなしていることを特徴とする折板屋根システム。 
【請求項５】
請求項１，２又は３のいずれか１項において、前記立骨状部は、前記天井折板体を構成する単位天井折板の水平状部の幅方向一側の被重合部と、前記水平状部の幅方向他側の重合部とで密閉状の空隙を有しつつ、断面略円形状をなしていることを特徴とする折板屋根システム。 
【請求項６】
請求項１，２，３，４又は５のいずれか１項において、前記立骨状部の両側に段部が形成され、隣接する立骨状部の対向する段部間に、断熱板が載置され、該断熱板の下面箇所に空隙が形成されてなることを特徴とする折板屋根。 
【請求項７】
請求項１，２，３，４又は５のいずれか１項において、前記折板支持具は、部分的に前記立骨状部箇所を囲むようにして前記横梁に固定されると共に、前記立骨状部箇所の頂部が前記折板支持具に固定されてなることを特徴とする折板屋根システム。 
【請求項８】
請求項１，２，３，４，５，６又は７のいずれか１項において、前記折板支持具は、隣接する両立骨状部間で相互に連結するようにして構成されてなることを特徴とする折板屋根システム。 
【請求項９】
請求項１，２，３，４，５，６又は７のいずれか１項において、前記折板支持具は、下部側と上部側とが分離され、該上部側の折板支持具上に前記折板屋根体が載置固定されてなることを特徴とする折板屋根システム。 
【請求項１０】
請求項１，２，３，４，５，６又は７のいずれか１項において、前記折板支持具は、左右側とが分離され、該折板支持具上に前記折板屋根体が載置固定されてなることを特徴とする折板屋根システム。 
【請求項１１】
請求項１，２，３，４，５，６又は７のいずれか１項において、前記折板支持具は、下部側支持具と上部側支持具とが分離され、且つ隣接する前記下部側支持具間は連結杆にて連結され、該連結杆上に前記上部側支持具が固着され、該上部側支持具上に前記折板屋根体が載置固定されてなることを特徴とする折板屋根システム。 
【請求項１２】
請求項１，２又は３のいずれか１項において、前記立骨状部は、前記天井折板体を構成する単位天井折板の水平状部の幅方向一側の被嵌合部と、前記水平状部の幅方向他側の嵌合部とで密閉状の空隙を有しつつ、断面方形状をなしていることを特徴とする折板屋根システム。 
【請求項１３】
請求項１，２又は３のいずれか１項において、前記立骨状部は、前記天井折板体を構成する単位天井折板の水平状部の幅方向一側の被嵌合部と、前記水平状部の幅方向他側の嵌合部とで密閉状の空隙を有しつつ、断面三角形状をなしていることを特徴とする折板屋根システム。 
【請求項１４】
請求項１，２又は３のいずれか１項において、前記立骨状部は、前記天井折板体を構成する単位天井折板の水平状部の幅方向一側の被嵌合部と、前記水平状部の幅方向他側の嵌合部とで密閉状の空隙を有しつつ、断面略円形状をなしていることを特徴とする折板屋根システム。 
【発明の詳細な説明】
【技術分野】
【０００１】
本発明は、金属製の天井折板体を備えつつ金属製の折板屋根体が設置された折板屋根システムに関する。
【背景技術】
【０００２】
従来より、金属屋根は、雨仕舞などを目的として、外覆いの構成として多数の実績を有している。この場合の天井構造は、一般に、屋根工事とは、別々に行われている。特に、屋根工事を施工後に、体育館などで、天井施工を行おうとすると、その天井施工のみで、足場などが必要であった。
【０００３】
特許文献１では、「梁（２）又は柱（２２）に、帯状平板部（１０ａ）（２４ａ）と一対の立ち上り部（１０ｂ）（１０ｃ）とから成るパネル（１０）（２４）を複数並列配置し、前記各パネル（１０）（２４）の帯状平板部（１０ａ）（２４ａ）を止着具によって前記梁（２）又は柱（２２）に固定し、前記並列状の各パネル（１０）（２４）上に屋根材（１６）又は壁材（３０）などの外囲板を配置し、該外囲板を止着具によって前記パネル（１０）（２４）に固定され、該パネル（１０）（２４）内には、断熱・防音材（１４）（２８）が嵌合して配置されてなる外囲体。」が開示されている。
【０００４】
引用文献１では、Ｃ型鋼などから成る胴縁材８を用いることなく、建物の下地溝造を構成しているが、構造物上の横梁は並列状態に複数設置されているが、その隣接する横梁の間隔は、数ｍとなっているため、そのパネル（１０）（２４）では、強度上において、問題視されている。つまり、天井したパネル（１０）（２４）では、実用化には向かない構造である。
【先行技術文献】
【特許文献】
【０００５】
【特許文献１】特開平９−３２２１１号公報
【発明の概要】
【発明が解決しようとする課題】
【０００６】
このため、本発明が解決しようとする課題（技術的課題又は目的等）は、強度上の点を確保するとともに、金属折板屋根を施工すると同時に、天井部をも同時に施工することができ、施工性が優れるのみならず、母屋をも不要にして、安価な施工費にて構築でき、且つ、優美なる天井構造を実現することである。
【課題を解決するための手段】
【０００７】
そこで、発明者は上記課題を解決すべく鋭意，研究を重ねた結果、請求項１の発明を、建造物上部に、隣接して適宜の間隔を有して平行状に設置された横梁と、水平状部と密閉状の空隙を有する立骨状部とが交互に連続して形成される金属板製の天井折板体と、山部と谷部とが連続して金属板製の折板屋根体とからなり、前記立骨状部の長手方向が前記横梁の長手方向と交叉しつつ、前記天井折板体が前記横梁上に載置固定されると共に、前記天井折板体と前記折板屋根体との間に折板支持具が介在されつつ、該折板支持具が前記横梁上に載置固定され、前記折板支持具上に前記折板屋根体が載置固定されてなることを特徴とする折板屋根システムとしたことにより、前記課題を解決した。  
【０００８】
請求項２の発明を、請求項１において、前記天井折板体は、同一断面の単位天井折板の幅方向の両側端部相互が上下又は左右側とで重ね合わせてなり、該重ね合わせ箇所が前記立骨状部として構成されてなることを特徴とする折板屋根システムとしたことにより、前記課題を解決した。 
【０００９】
請求項３の発明を、請求項１又は２において、前記立骨状部は、前記天井折板体を構成する単位天井折板の水平状部の幅方向一側の被重合部と、前記水平状部の幅方向他側の重合部とで密閉状の空隙を有しつつ、断面方形状をなしていることを特徴とする折板屋根システムとしたことにより、前記課題を解決した。 
【００１０】
請求項４の発明を、請求項１，２又は３のいずれか１項において、前記立骨状部は、前記天井折板体を構成する単位天井折板の水平状部の幅方向一側の被重合部と、前記水平状部の幅方向他側の重合部とで密閉状の空隙を有しつつ、断面三角形状をなしていることを特徴とする折板屋根システムとしたことにより、前記課題を解決した。 
【００１１】
請求項５の発明を、請求項１，２又は３のいずれか１項において、前記立骨状部は、前記天井折板体を構成する単位天井折板の水平状部の幅方向一側の被重合部と、前記水平状部の幅方向他側の重合部とで密閉状の空隙を有しつつ、断面略円形状をなしていることを特徴とする折板屋根システムとしたことにより、前記課題を解決した。 
【００１２】
請求項６の発明を、請求項１，２，３，４，５又は５のいずれか１項において、前記立骨状部の両側に段部が形成され、隣接する立骨状部の対向する段部間に、断熱板が載置され、該断熱板の下面箇所に空隙が形成されてなることを特徴とする折板屋根システムとしたことにより、上記課題を解決した。 
【００１３】
請求項７の発明を、請求項１，２，３，４又は５のいずれか１項において、前記折板支持具は、部分的に前記立骨状部箇所を囲むようにして前記横梁に固定されると共に、前記立骨状部箇所の頂部が前記折板支持具に固定されてなることを特徴とする折板屋根システムとしたことにより、前記課題を解決した。 
【００１４】
請求項８の発明を、請求項１，２，３，４，５，６又は７のいずれか１項において、前記折板支持具は、隣接する両立骨状部間で相互に連結するようにして構成されてなることを特徴とする折板屋根システムとしたことにより、前記課題を解決した。 
【００１５】
請求項９の発明を、請求項１，２，３，４，５，６又は７のいずれか１項において、前記折板支持具は、下部側と上部側とが分離され、該上部側の折板支持具上に前記折板屋根体が載置固定されてなることを特徴とする折板屋根システムとしたことにより、前記課題を解決した。 
【００１６】
請求項１０の発明を、請求項１，２，３，４，５，６又は７のいずれか１項において、前記折板支持具は、左右側とが分離され、該折板支持具上に前記折板屋根体が載置固定されてなることを特徴とする折板屋根システムとしたことにより、前記課題を解決した。 
【００１７】
請求項１１の発明を、請求項１，２，３，４，５，６又は７のいずれか１項において、前記折板支持具は、下部側支持具と上部側支持具とが分離され、且つ隣接する前記下部側支持具間は連結杆にて連結され、該連結杆上に前記上部側支持具が固着され、該上部側支持具上に前記折板屋根体が載置固定されてなることを特徴とする折板屋根システムとしたことにより、前記課題を解決した。 
【００１８】
請求項１２の発明を、請求項１，２又は３のいずれか１項において、前記立骨状部は、前記天井折板体を構成する単位天井折板の水平状部の幅方向一側の被嵌合部と、前記水平状部の幅方向他側の嵌合部とで密閉状の空隙を有しつつ、断面方形状をなしていることを特徴とする折板屋根システムとしたことにより、前記課題を解決した。 
【００１９】
請求項１３の発明を、請求項１，２又は３のいずれか１項において、前記立骨状部は、前記天井折板体を構成する単位天井折板の水平状部の幅方向一側の被嵌合部と、前記水平状部の幅方向他側の嵌合部とで密閉状の空隙を有しつつ、断面三角形状をなしていることを特徴とする折板屋根システムとしたことにより、前記課題を解決した。 
【００２０】
請求項１４の発明を、請求項１，２又は３のいずれか１項において、前記立骨状部は、前記天井折板体を構成する単位天井折板の水平状部の幅方向一側の被嵌合部と、前記水平状部の幅方向他側の嵌合部とで密閉状の空隙を有しつつ、断面略円形状をなしていることを特徴とする折板屋根システムとしたことにより、前記課題を解決した。
【発明の効果】
【００２４】
請求項１の発明においては、金属屋根を施工すると同時に、天井部をも同時に施工することができ、施工性が優れるのみならず、母屋をも不要にして、それでも、屋根としては比較的強固に施工できる最大の利点がある。さらに、折板支持具を構成部材としたことにより、さらに強固なる折板屋根システムを提供できる。
【００２５】
請求項２の発明では、単位天井折板の幅方向の両側端部相互が上下又は左右側とで重ね合わせることで、簡単に施工でき、施工費を格安にしつつ、早期に施工できる利点がある。請求項３の発明では、重合部とで密閉状の空隙を有しつつ、断面方形状をなしている折板屋根システムとしたことにより、強固で簡易な構成にしつつ、施工費も比較的格にできる利点がある。
【００２６】
請求項４の発明では、断面三角形状としつつ、簡易なる施工にて、強固なる構成にしつつ、比較的安価に提供できる。請求項５の発明では、密閉状の空隙を有しつつ、断面略円形状をなしているために、外観的には、審美的であり、比較的施工を簡易にできる。
【００２７】
請求項６の発明では、断熱板を複数設置し、その下側に空隙を形成したことで、室内のみで、施工できると共に、照明器具などへの取り付けもできる。請求項７の発明においては、折板支持具は、部分的であるが、比較的強固にできると共に、比較的簡易に施工できる利点がある。
【００２８】
請求項８の発明では、前記折板支持具は強固に施工できる。請求項９の発明では、折板支持具の下部側と上部側とを分離し、この間に断熱板片などを介在しておけば、内部の天井折板体には、外気が入らないように施工できる利点がある。
【００２９】
請求項１０の発明では、折板支持具の左右側が分離可能としたことにより、立骨状部を両側から包持するのに包持し易く施工できることもある。請求項１１の発明では、特に、天井折板の立骨状部のピッチと、折板屋根体の働き幅のピッチとが異なっている場合には、本発明の場合には、この異なるピッチに良好に対応できる利点がある。
【００３０】
請求項１２の発明では、嵌合タイプであって、密閉状の空隙を有しつつ、断面方形状をなしているため、立骨状部の構成が、単なる重合部よりは格段と強固に構成できる利点がある。請求項１３の発明では、請求項１２の発明と同等の効果が発揮できるのみならず、断面三角状とした最少の部材にて構成できる効果がある。
【００３１】
請求項１４の発明では、請求項１２及び１３の発明と同等技術であるというのみならず、円筒状の立骨状部にでき、施工性を良好にできる。さらに、嵌合タイプとしたことにより、横梁と横梁との間隔箇所における立骨状部は、重合タイプよりは、格段と強固に施工できる。この点は、請求項１２及び１３の発明でも同様である。
【図面の簡単な説明】
【００３３】
【図１】（Ａ）は、本発明の縦断側面図、（Ｂ）は（Ａ）のＹ１−Ｙ１矢視拡大断面図、（Ｃ）は（Ｂ）の（ア）部拡大図である。
【図２】（Ａ）は、本発明の一部断面とした要部縦断側面図、（Ｂ）は（イ）部拡大図、（Ｃ）は一部切除した要部拡大斜視図である。
【図３】（Ａ）は、重合タイプの単位天井折板の断面図、（Ｂ）は、折板支持具の斜視図、（Ｃ）は（Ｂ）の正面図、（Ｄ）は（Ｃ）のＹ２−Ｙ２矢視断面図である。
【図４】（Ａ）〜（Ｄ）は、別の実施形態の折板支持具の正面図である。
【図５】（Ａ）は、重合タイプの単位天井折板を用いた本発明の縦断正面図、（Ｂ）は（Ａ）に用いた折板支持具の正面図、（Ｃ）は（Ｂ）の変形例の折板支持具の正面図である。
【図６】（Ａ）は、重合タイプの単位天井折板に、別の実施形態の折板支持具を用いた本発明の縦断正面図、（Ｂ）は（Ａ）の要部拡大図、（Ｃ）は（Ｂ）のＹ３−Ｙ３矢視断面図である。
【図７】（Ａ）は、変形例の重合タイプの単位天井折板に、別の実施形態の折板支持具を用いた本発明の縦断正面図、（Ｂ）は（Ａ）に用いた単位天井折板の断面図である。
【図８】（Ａ）は、略三角状型で重合タイプの天井折板体の立骨状部箇所の縦断面図、（Ｂ）は略丸形状で重合タイプの天井折板体の立骨状部箇所の縦断面図である。
【図９】（Ａ）は、断熱板が設置できる重合タイプの天井折板体を用いた本発明の縦断正面図、（Ｂ）は（Ａ）の（ウ）部拡大図、（Ｃ）は（Ａ）の単位天井折板の断面図である。
【図１０】（Ａ）は、本発明の別の実施形態の縦断側面図、（Ｂ）は（Ａ）のＹ４−Ｙ４矢視断面図、（Ｃ）は（Ｂ）の（エ）部拡大図である。
【図１１】（Ａ）は、嵌合タイプの一部切除した要部拡大斜視図、(Ｂ)は（Ａ）に用いた嵌合タイプの単位天井折板の要部断面図である。
【図１２】（Ａ）は、嵌合タイプの単位天井折板の断面図、（Ｂ）及び（Ｃ）は別の実施形態の単位天井折板の要部断面図である。
【図１３】（Ａ）は、さらに別の実施形態の略方形状型で嵌合タイプの天井折板体の立骨状部箇所の縦断面図、（Ｂ）は略三角状型で嵌合タイプの天井折板体の立骨状部箇所の縦断面図、（Ｃ）は略丸形状で重合タイプの天井折板体の立骨状部箇所の縦断面図である。
【図１４】（Ａ）は、本発明の別の実施形態の縦断側面図、（Ｂ）は、（Ａ）のＹ４−Ｙ４矢視拡大断面図、（Ｃ）は中間箇所の押え状態の要部断面図、（Ｄ）は（Ｃ）の要部斜視図である。
【図１５】（Ａ）は、別の実施形態の折板屋根体で重合タイプの本発明の縦断側面図、（Ｂ）は（Ａ）の（オ）部拡大図である。
【図１６】（Ａ）は、さらに別の実施形態の折板屋根体で重合タイプの本発明の縦断側面図、（Ｂ）は（Ａ）の（カ）部拡大図である。
【図１７】（Ａ）は、さらに別の実施形態の重合タイプの天井折板体の本発明の縦断側面図、（Ｂ）は（Ａ）の（キ）部拡大図、（Ｃ）はさらに別の実施形態の天井折板体の重合箇所の一部断面図である。
【発明を実施するための形態】
【００３４】
以下、本発明の複数の実施形態について図面に基づいて説明する。本発明の主要構成としては、図１及び図２に示すように、横梁１と、金属板製の天井折板体Ａと、金属板製の折板屋根体Ｃと、必要に応じて折板支持具Ｂとから構成されている。前記横梁１は、壁又は柱等が設けられた建造物又は構造物において、その上部に設けられている。その建造物又は構造物は、壁又は柱等が鉄骨系又は鉄筋コンクリート系で構成され、天井部側が開放された構成をなしている。
【００３５】
具体的には、強固なる前記横梁１が所定間隔（例えば、数ｍなど）おいて平行状に多数設置されている。特に、前記天井折板体Ａの板厚が厚い（例えば、１ｍｍ程度）場合、前記折板支持具Ｂを使用しないで、前記天井折板体Ａ上に直接に前記折板屋根体Ｃを敷設することもある。前記折板屋根体Ｃは、山部９１ａと谷部９１ｂとが交互に連続するように構成されている。この山，谷は部位は屋根の仮想中立線軸の上下を指している。
【００３６】
図１乃至図２は本願発明の第１実施形態である。前記横梁１と、金属板製の天井折板体Ａと、金属板製の折板屋根体Ｃと、折板支持具Ｂとから構成されている。前記天井折板体Ａは、同一断面形状の金属板製の長尺の単位天井折板２の多数枚にて構成されている。
【００３７】
該単位天井折板２の幅の略全体に水平状部２１が形成され、該水平状部２１の幅方向一側[図１（Ｂ）及び図３（Ａ）において右側]の被重合部２２と、前記水平状部２１の幅方向他側[図１（Ｂ）及び図３（Ａ）において左側]に、前記被重合部２２に重合する重合部２３が形成されている。このような構成形式を重合タイプの立骨状部３という。
【００３８】
前記水平状部２１は、リブ状の僅かな高さの膨出部２１ａが形成されたり[図１（Ｂ）及び(Ｃ)参照]、或いは、波形状２１ｂに形成されることもある[図７（Ｂ）参照]。
【００３９】
前記被重合部２２に前記重合部２３が重合した状態が、立骨状部３と称し、密閉状（図２及び図２参照）又は非密閉状[図１７(Ｃ)参照]の空隙３０を有している。前記天井折板体Ａは、同一断面形状の長尺の単位天井折板２の多数にて構成されている。前記天井折板体Ａは、水平状部２１と密閉状（図２及び図２参照）又は非密閉状[図１７(Ｃ)参照]の空隙３０を有する立骨状部３とが交互に連続して形成されている。該立骨状部３の長手方向が前記横梁１の長手方向と交叉（直角又はクロス状）しつつ、前記天井折板体Ａが前記横梁１上に載置固定されている。
【００４０】
前記立骨状部３は、図１（Ｃ）及び図２（Ｃ）等に示すように、前記被重合部２２に前記重合部２３が上下で重合した状態で、密閉状の空隙３０を有して構成されているのが通常である。また、前記被重合部２２と前記重合部２３が同一形状となって、左右で重合した状態で、密閉状の空隙３０を有している場合[図１７(Ａ)及び(Ｂ)参照]や、非密閉状の空隙３０を有している場合もある[図１７（Ｃ）参照]。このように、左右側で重合している場合の立骨状部３は、単に左右側が接触した状態で構成されている。
【００４１】
上下で重合状態[図７(Ａ)及び図８(Ａ)，(Ｂ)参照]で、密閉状の空隙３０を有して構成されている立骨状部３は、断面係数としての数値も高く、かなり強固な構造材としての機能も備えている。この密閉状の空隙３０を有している場合には、設置された下側、すなわち、部屋側から見た場合には、前記横梁１は除いて、フラットな天井面のみの外観を提供できる最大の効果がある。
【００４２】
また、左右で重合した状態（図１７参照）で、密閉状の空隙３０を有した構成として、図１７(Ａ)及び(Ｂ)に示すように、単位天井折板２と樋状材２６とで構成されている。該樋状材２６は、通し部材として、前記単位天井折板２と同等の長さに形成されている。この場合の立骨状部３は、樋状材２６の存在もあり、断面係数としての数値も高く、かなり強くできる利点もある。この場合、勿論、下側（室内側）からは平坦状の外観をなしている。
【００４３】
さらに、図１７(Ｃ)に示すように、非密閉状の空隙３０を有し、左右で重合した状態でも、立骨状部３が構成されており、断面係数としての数値も比較的高く、強くできる利点もある。左右で重合した場合は、左右対称の重合部２２，２２のみで構成されており、垂直状辺２２１、頂辺２２２、垂下状縁２２３にて形成され、該垂下状縁２２３，２２３相互が押厚接触するものである。
【００４４】
密閉状の空隙３０を有して、上下で前記重合タイプの立骨状部３には、３種類が存在している。１つ目は、断面方形状型である。具体的には、図３(Ａ)，図７（Ａ）及び(Ｂ)に示すように、前記単位天井折板２の水平状部２１の一側端[図７（Ｂ）において、単体として右側]からの被重合部２２は、垂直状辺２２１の上端より前記水平状部２１側に頂辺２２２が屈曲形成され、その端部より下方に、垂下状端辺２２３（傾斜状も含む）が形成されて構成されている。
【００４５】
また、前記垂直状辺２２１の基部箇所にアングル状の屈曲縁２２１ａが形成されたり[図３(Ａ)参照] 、或いは、前記垂直状辺２２１の基部箇所に傾斜縁２２１ｂが形成されることもある[図７(ｂ)参照]。このような屈曲縁２２１ａ又は傾斜縁２２１ｂは、天井として施工後において、下からの目視された場合に、目地部に該当するものである。
【００４６】
また、断面方形状型の重合部２２は、前記被重合部２２に重合される形状をなし、板厚分だけ大きくなるように、前記単位天井折板２の水平状部２１の他側端[図３(Ａ)，図７（Ｂ）において、単体として左側]より、垂直状辺２３１の上端より外側に向かって頂辺２３２が屈曲形成され、その端部より下方に、垂下状辺２３３が形成されて構成されている。上下で重合した場合には、該垂下状辺２３３の下端片２３３ａが前記水平状部２１面上に当接するように形成されている。
【００４７】
密閉状の空隙３０を有して前記重合タイプの立骨状部３の２つ目は、断面三角形状型である。具体的には、図８（Ａ）に示すように、前記単位天井折板２の水平状部２１の一側端[図８（Ａ）箇所において、前記単位天井折板２の右側]より被重合部２２は、上向き傾斜状辺２２４の上端より下方に、下向き傾斜端辺２２５が形成されて構成されている。
【００４８】
また、断面三角形状型の重合部２２は、図８（Ａ）に示すように、前記被重合部２２に重合される形状をなし、板厚分だけ大きくなるように、前記単位天井折板２の水平状部２１の他側端[図８（Ａ）において、単体として左側]より、上向き傾斜状辺２３４の上端より下方に、下向き傾斜状辺２３５が形成されて構成されている。上下で重合した場合には、該下向き傾斜状辺２３５の下端片２３５ａが前記水平状部２１面上に当接するように形成されることもある。
【００４９】
密閉状の空隙３０を有して前記重合タイプの立骨状部３の３つ目は、断面円形状型である。具体的には、図８（Ｂ）に示すように、前記単位天井折板２の水平状部２１の一側端[図８（Ｂ）箇所において、前記単位天井折板２の右側]より被重合部２２は、約４分の３形の円形辺２２６が形成されている。また、図示しないが、１個分の円形に円形辺２２６を形成することもある
【００５０】
また、断面円形状型の重合部２２は、図８（Ｂ）に示すように、前記被重合部２２に重合される形状をなし、板厚分だけ大きくなるように、前記単位天井折板２の水平状部２１の他側端[図８（Ｂ）において、単体として左側]より、Ω状の円形辺２３６が形成されている。上下で重合した場合には、該円形辺２３６の下端片２３６ａが前記水平状部２１面上に当接するように形成されることもある。
【００５１】
図９に示すように、上下で重合タイプの立骨状部３は、断熱板２８が載置可能な段部２２ａ，２３ａが、前記被重合部２２及び重合部２３箇所に屈曲形成されている。このようにして、断熱板２８が敷設されても、該断熱板２８と前記単位天井折板２の水平状部２１との間には、空隙部２９が形成されることどなり、このスペースを利用して、照明器具を取り付ける部位にすることも可能である。
【００５２】
前記折板支持具Ｂは、種々の形状、構造のタイプが存在するが、部分的に構成される場合、つまり、帯板状となって形成される場合[図２(Ｃ)及び図３(Ｂ)参照]と、図示しないが、前記立骨状部の長手方向と同等長さの長尺に形成される場合がある。部分的でも、長尺でも、前記立骨状部３箇所を囲むようにして前記横梁１に固定されている。以下、帯板状となっている部分として構成された前記折板支持具Ｂについて説明する。
【００５３】
Ａタイプは、図３（Ｂ），（Ｃ）及び（Ｄ）に示すように、上下が個別で、下部側支持具４と上部側支持具５とから構成され、上下はボルト・ナット４４にて固着されている。その上下間には、断熱板４３が介在されることもある。前記下部側支持具４は、門形状部４１と両側の取付部４２，４２から構成されている。さらに、扁平門形状部４５が介在されることもある。前記上部側支持具５は、閉鎖状の方形枠部として形成されている。上部側には吊子を取り付ける台座部５１ａが形成されることもある。このＡタイプは、前記立骨状部３箇所ごとに設けられる。
【００５４】
Ｂタイプは、図４(Ａ)，(Ｂ)及び(Ｄ)に示すように、上下が連続した状態に構成され、門形の縦長支持具６が構成されている。つまり、縦長門形状部６１とこの両側の取付部６２，６２とから構成されている。押え杆６３が必要に応じて設けられている。
【００５５】
Ｃタイプは、図４(Ｃ)に示すように、左右が分離した状態の右側部７１、左側部７２とで構成されている。該右側部７１、左側部７２は、垂直状片７１ａ，７２ａと、この下側より外方に、取付片７１ｂ，７２ｂとが形成され、前記垂直状片７１ａ，７２ａの上端より、コ字状片７１ｃ，７２ｃの上片が外向きになるようにして構成されている。該コ字状片７１ｃ，７２ｃの垂直状片箇所でボルと・ナットにて固着されている。
【００５６】
Ｄタイプは、図５（Ａ）及び(Ｂ)に示すように、上下が個別で、下部側支持具４と上部側支持具５とから分離構成され、上下はボルト・ナット４４にて固着されている。その上下間には、断熱板４３が介在されることもある。隣接する前記下部側支持具４，４相互は、接続部材４６に一体的に接続されている。
【００５７】
また、Ｅタイプは、図５（Ｃ）に示すように、上下間及び左右間が一体形成されているものである。この場合にも、左右間は、接続部材４６に一体形成されている。の高さ位置は、中間の適宜の高さ位置であるが、取付部６２の高さ位置とされる場合もある。図５（Ａ）及び（Ｂ）参照]。
【００５８】
Ｆタイプは、図６（Ａ）〜（Ｃ）に示すように、前記折板支持具Ｂは、下部側支持具４と上部側支持具５とが分離され、且つ隣接する前記下部側支持具４，４間は連結杆４７にて連結され、該連結杆４７上に前記上部側支持具５が固着されて構成されている。前記連結杆４７の両端は、前記下部側支持具４の頂部箇所にボルトなどにて固着されている。
【００５９】
前記嵌合タイプの立骨状部３にて構成された折板屋根システムは、図１０(Ａ)，(Ｂ)及び(Ｃ)，図１１(Ａ)及び(Ｂ)に図示されている。特に、嵌合タイプの立骨状部３であるために、重合タイプの立骨状部３の場合に比較して、横梁１，１間の中間部の強度を強固にできる効果がある。この理由として、被嵌合部２４及び嵌合部２５とが、互いに引き合ったり、押圧したりして弾性的に結合しているためである。
【００６０】
前記嵌合タイプの立骨状部３には、３種類が存在している。１つ目は、図１０，図１１，図１２(Ａ)及び図１３(Ａ)に示すように、断面方形状型である。具体的には、前記単位天井折板２の水平状部２１の一側端[図１２(Ａ)の右側参照]より被嵌合部２４は、垂直状辺２４１の上端より前記水平状部２１側に頂辺２４２が屈曲形成され、その端部より下方に、下向きの傾斜端辺２４３が形成されて構成されている。
【００６１】
該下端に折返し端縁２４３ａが屈曲形成されている。また、前記垂直状辺２４１の基部箇所にアングル状の屈曲縁２４１ａが必要に応じて形成されている。また、傾斜縁２４１ｂが形成されることもある。この屈曲縁２４１ａ，傾斜縁２４１ｂ箇所は、天井施工された後において、下からの目視にて目地部に該当することがある。
【００６２】
また、断面方形状型の嵌合部２５は、図１０，図１１，図１２(Ａ)及び図１３(Ａ)に示すように、前記被重合部２４に重合される形状をなし、板厚分だけ大きくなるように、前記単位天井折板２の水平状部２１の他側端[図１２(Ａ)の左側参照]より、垂直状辺２５１の上端より外側に向かって頂辺２５２が屈曲形成され、その端部より下方に、垂下状辺２５３が形成されて構成されている。
【００６３】
該垂下状辺２５３の中間位置に、前記被重合部２４の傾斜端辺２４３の下端箇所に嵌合する嵌合端縁２５４が屈曲形成されている。嵌合した場合には、前記垂下状辺２５３の下端片２５３ａが前記水平状部２１面上に当接するように形成されている。
【００６４】
前記嵌合タイプの立骨状部３の２つ目は、図１２(Ｂ)及び図１３(Ｂ)に示すように、断面三角形状型である。具体的には、前記単位天井折板２の水平状部２１の一側端[図１２（Ｂ）の単位天井折板２の右側]より被嵌合部２４は、上向き傾斜状辺２４４の上端より下方に下向き傾斜端辺２４５が形成されて構成されている。該下端に折返し端縁２４５ａが屈曲形成されている。
【００６５】
また、断面三角形状型の嵌合部２５は、前記被嵌合部２４に嵌合される形状をなし、板厚分だけ大きくなるように、前記単位天井折板２の水平状部２１の他側端[図１２(Ｂ)の単位天井折板２の左側]より、上向き傾斜状辺２５５の上端より下方に、下向き傾斜状辺２５６が形成されて構成されている。嵌合した場合には、該下向き傾斜状辺２５６の中間位置に、前記被嵌合部２４の下向き傾斜端辺２４５の下端箇所に嵌合する嵌合端縁２５７が屈曲形成されている。嵌合した場合には、前記下向き傾斜状辺２５６の下端片２５６ａが前記水平状部２１面上に当接するように形成されている。
【００６６】
前記嵌合タイプの立骨状部３の３つ目は、図１２(Ｃ)及び図１３(Ｃ)に示すように、断面円形状型である。具体的には、前記単位天井折板２の水平状部２１の一側端[図１２(Ｃ)の単位天井折板２の右側]より被嵌合部２４は、約４分の３形の円形辺２４６が形成されている。該円形辺２４６の端に屈曲端縁２４６ａが形成されることがある。また、図示しないが、１個分の円形に円形辺２４６を形成することもある
【００６７】
また、断面円形状型の嵌合部２５は、前記被嵌合部２４に嵌合される形状をなし、板厚分だけ大きくなるように、前記単位天井折板２の水平状部２１の他側端[図１２(Ｃ)の単位天井折板２の右側]より、略Ω状の円形辺２５８が形成されている。該円形辺２５８の中間位置に、前記被嵌合部２４の円形辺２４６の下端箇所に嵌合する嵌合突片２５９が屈曲形成されている。嵌合した場合には、前記円形辺２５８の外側下端片２５８ａが前記水平状部２１面上に当接するように形成されている。
【００６８】
横梁１，１間においては、立骨状部３，３間においては、前記単位天井折板２，２間において、相互に上下にズレが発生する問題点が存在するために、図２(Ａ)及び(Ｂ)に示すように、適宜の間隔（例えば、約１ｍ内外）で連結ボルト３５を装着することがある。天井折板Ａの上面から、立骨状部３の頂辺相互を連結することで、撓み量を僅かにして強固な構成にできる。
【００６９】
また、図１４(Ａ)及び(Ｂ)に示したように、重合部２３箇所に、断面くの字状の屈曲縁２３１ａを形成し、前記被重合部２２の箇所に形成された屈曲縁２２１ａに、前記屈曲縁２３１ａが挿入状態となって構成されている。このような構成によって、撓みにくくすることができ、簡易な構成にて、強固な天井折板体Ａを提供できる。
【００７０】
さらに、図１４(Ｃ)及び(Ｄ)に示したように、その立骨状部３箇所に、孔２３３ｈを開けておき、そこを利用して、２ピースからなる万力部材３６にて被重合部２２及び重合部２３を強固に固定することある。具体的には、コ字型部３６ａと押え部３７ｂと締付ボルト３６ｃとからなり、該締付ボルト３６ｃの締付にて立骨状部３を固定状態にできる。
【００７１】
前記折板屋根体Ｃにおいては、施工性から前記単位折板屋根板材９１のみで使用される馳締タイプが主流であるが（図１等参照）、これに限定されない。つまり、図１５(Ａ)及び(Ｂ)に示すように、単位折板屋根板材９１と、必要に応じてキャップ材９２が使用されることもある。つまり、嵌合タイプの折板屋根体Ｃが施工例である。また、図１６(Ａ)及び(Ｂ)に示すように、重合タイプの単位折板屋根板材９１が用いられることもある。
【符号の説明】
【００７２】
Ａ…天井折板体、Ｂ…折板支持具Ｂ、Ｃ…折板屋根体、１…横梁、２…単位天井折板、
２１…水平状部、２２…被重合部、２３…重合部、２２ａ，２３ａ…段部、
２４…被嵌合部、２５…嵌合部、３…立骨状部、３０…空隙、４…下部側支持具、
５…上部側支持具。
【図１】
0005973749.tif 000002
【図２】
0005973749.tif 000003
【図３】
0005973749.tif 000004
【図４】
0005973749.tif 000005
【図５】
0005973749.tif 000006
【図６】
0005973749.tif 000007
【図７】
0005973749.tif 000008
【図８】
0005973749.tif 000009
【図９】
0005973749.tif 000010
【図１０】
0005973749.tif 000011
【図１１】
0005973749.tif 000012
【図１２】
0005973749.tif 000013
【図１３】
0005973749.tif 000014
【図１４】
0005973749.tif 000015
【図１５】
0005973749.tif 000016
【図１６】
0005973749.tif 000017
【図１７】
0005973749.tif 000018